(57)【要約】本開示は、Ｄ２Ｄ通信のために無線アクセスネットワークのサブフレームを使用するために、ＵＥによって実行される方法に関連する。方法は、無線アクセスネットワークのサブフレームの中でＤ２Ｄ通信に利用可能なサブフレームを決定すること（６５０）を含む。Ｄ２Ｄ通信に利用可能なサブフレームは、無線アクセスネットワークのいくつかのサブフレームを除外することにより、サブフレーム数におけるＤ２Ｄ通信の周期性は、Ｄ２Ｄ通信に利用可能なサブフレームの数を分割する。方法はまた、Ｄ２Ｄ通信を可能にするために、決定されたサブフレームを使用すること（６６０）を含む。【選択図】図４
2019527976.tif 000002
【特許請求の範囲】
【請求項１】
デバイス対デバイス（Ｄ２Ｄ）通信のための無線アクセスネットワークのサブフレームを使用するためにユーザ装置（ＵＥ）（６００）により実行される方法であって、
前記無線アクセスネットワークのサブフレームの中からＤ２Ｄ通信に利用可能なサブフレームを決定すること（６５０）であって、前記Ｄ２Ｄ通信に利用可能なサブフレームは、無線アクセスネットワークのいくつかのサブフレームを除外し、それにより、サブフレームの数における前記Ｄ２Ｄ通信の周期性が、前記Ｄ２Ｄ通信に利用可能なサブフレームの数を分割する、ことと、
Ｄ２Ｄ通信を可能にするために、前記決定されたサブフレームを使用すること、を含む、方法。
【請求項２】
請求項１に記載の方法であって、前記決定されたサブフレームを使用することは、Ｄ２Ｄ通信を可能にするために、前記決定されたサブフレームをセンシングすること、割り当てること、および予約することのうちの少なくとも１つを含む、方法。
【請求項３】
請求項１または２に記載の方法であって、前記無線アクセスネットワークの除外された数のサブフレームは、予約されたいくつかのサブフレームを含む、方法。
【請求項４】
請求項１から３のいずれか１項に記載の方法であって、前記無線アクセスネットワークの除外された数のサブフレームは、特別な目的のいくつかのサブフレームを含む、方法。
【請求項５】
請求項４に記載の方法であって、前記特別な目的のために使用されるサブフレームのうちの少なくとも１つは、同期信号の送信のため、またはＤ２Ｄ通信パケット以外の送信のために使用される、方法。
【請求項６】
請求項４または５に記載の方法であって、前記Ｄ２Ｄ通信に利用可能なサブフレームを決定することは、前記Ｄ２Ｄ通信に利用可能なサブフレームの数Ｎｂをｙ＊ｆｌｏｏｒ（（ｚ−Ｎａ）／ｙ）に等しくなるように決定することを含み、ｙは、サブフレームの数における前記Ｄ２Ｄ通信の周期性であり、ｚは、前記無線アクセスネットワークの周期的構造の周期Ａにおけるサブフレームの数であり、Ｎａは、前記特別な目的のために使用されるサブフレーム数であり、ｆｌｏｏｒ（）は入力として実数を取り、出力として実数以下の最大の整数を与える関数である、方法。
【請求項７】
請求項３に記載の方法であって、前記予約されたサブフレームのうちの少なくとも１つは、キャリア上でのＤ２Ｄ通信の使用をアドバタイズする検出シーケンスを送信するために使用される、方法。
【請求項８】
請求項３または７に記載の方法であって、２つの連続する予約されたサブフレーム間のＤ２Ｄ通信に利用可能なサブフレームの数はｘである、方法。 
【請求項９】
請求項１から８のいずれか１項に記載の方法であって、前記Ｄ２Ｄ通信に利用可能なサブフレームは、前記Ｄ２Ｄ通信に利用可能なサブフレームにビットマップを適用することによってサブグループに分割される、方法。
【請求項１０】
請求項１から９のいずれか１項に記載の方法であって、前記無線アクセスネットワークの前記サブフレームは、周期Ａを有する周期的構造に編成されている、方法。
【請求項１１】
請求項１０に記載の方法であって、前記Ｄ２Ｄ通信の前記周期性のサブフレーム数は、前記周期Ａのサブフレーム数を分割しない、方法。
【請求項１２】
請求項１から１１のいずれか１項に記載の方法であって、サブフレームは無線リソースである、方法。
【請求項１３】
デバイス対デバイス（Ｄ２Ｄ）通信を可能にするための無線アクセスネットワークのサブフレームを使用するために構成されたユーザ装置（ＵＥ）（６００）であって、
前記無線アクセスネットワークのサブフレームの中からＤ２Ｄ通信に利用可能なサブフレームを決定し、ここで、前記Ｄ２Ｄ通信に利用可能なサブフレームは、無線アクセスネットワークのいくつかのサブフレームを除外し、それにより、サブフレーム数におけるＤ２Ｄ通信の周期性が、前記Ｄ２Ｄ通信に利用可能なサブフレームの数を分割し、
Ｄ２Ｄ通信を可能にするために、決定されたサブフレームを使用する、ように更に構成される、ＵＥ。
【請求項１４】
請求項１３に記載のＵＥであって、前記Ｄ２Ｄ通信を可能にするために決定されたサブフレームをセンシング、割り当て、および／または予約することによって、決定されたサブフレームを使用するように構成される、ＵＥ。
【請求項１５】
請求項１３または１４に記載のＵＥであって、前記無線アクセスネットワークの除外された数のサブフレームは、予約されたいくつかのサブフレームを含む、ＵＥ。
【請求項１６】
請求項１３から１５のいずれか１項に記載のＵＥであって、前記無線アクセスネットワークの除外された数のサブフレームは、特別な目的のいくつかのサブフレームを含む、ＵＥ。
【請求項１７】
請求項１６に記載のＵＥであって、前記特別な目的のために使用されるサブフレームのうちの少なくとも１つは、同期信号の送信、またはＤ２Ｄ通信パケット以外の送信のために使用される、ＵＥ。
【請求項１８】
請求項１６または１７に記載のＵＥであって、前記Ｄ２Ｄ通信に利用可能なサブフレームを決定することは、前記Ｄ２Ｄ通信に利用可能なサブフレームの数Ｎｂをｙ＊ｆｌｏｏｒ（（ｚ−Ｎａ）／ｙ）に等しくなるように決定することを含み、ｙは、サブフレーム数での前記Ｄ２Ｄ通信の周期性であり、ｚは、前記無線アクセスネットワークの周期的構造の周期Ａにおけるサブフレーム数であり、Ｎａは、特別な目的のために使用されるサブフレーム数であり、ｆｌｏｏｒ（）は入力として実数を取り、出力として実数以下の最大の整数を与える関数である、ＵＥ。
【請求項１９】
請求項１５に記載のＵＥであって、キャリア上でのＤ２Ｄ通信の使用をアドバタイズする検出シーケンスを送信するために、予約されたサブフレームのうちの少なくとも１つを使用するように更に構成される、ＵＥ。
【請求項２０】
請求項１５または１９に記載のＵＥであって、２つの連続した予約されたサブフレーム間のＤ２Ｄ通信に利用可能なサブフレームの数はｘである、ＵＥ。
【請求項２１】
請求項１３から２０のいずれか１項に記載のＵＥであって、Ｄ２Ｄ通信に利用可能なサブフレームにビットマップを適用することによって、前記Ｄ２Ｄ通信に利用可能なサブフレームをサブグループに分割するようにさらに構成される、ＵＥ。
【請求項２２】
請求項１３から２１のいずれか１項に記載のＵＥであって、前記無線アクセスネットワークの前記サブフレームは、周期Ａを有する周期的構造に編成される、ＵＥ。
【請求項２３】
請求項２２に記載のＵＥであって、前記Ｄ２Ｄ通信の前記周期性のサブフレーム数は、前記周期Ａのサブフレーム数を分割しない、ＵＥ。
【請求項２４】
請求項１３から２３のいずれか１項に記載のＵＥであって、サブフレームは無線リソースである、ＵＥ。
【請求項２５】
デバイス対デバイス（Ｄ２Ｄ）通信を可能にするための無線アクセスネットワークのサブフレームを使用するために構成されたユーザ装置（ＵＥ）（６００）であって、前記ＵＥは、他のＵＥと無線通信するように構成された無線送受信器回路（６０２）と、前記送受信回路と動作可能に関連付けられた処理回路（６０３）と、前記処理回路と動作可能に関連付けられたメモリ（６０１）とを含み、これにより、前記ＵＥは、
前記無線アクセスネットワークのサブフレームの中からＤ２Ｄ通信に利用可能なサブフレームを決定し、ここで、前記Ｄ２Ｄ通信に利用可能なサブフレームは、無線アクセスネットワークのいくつかのサブフレームを除外し、それにより、サブフレーム数におけるＤ２Ｄ通信の周期性が、前記Ｄ２Ｄ通信に利用可能なサブフレームの数を分割し、
Ｄ２Ｄ通信を可能にするために、決定されたサブフレームを使用する、ように動作する、ＵＥ。
【請求項２６】
請求項２５に記載のＵＥであって、更に請求項２から１２のいずれか１項に記載の方法を実行するように動作する、ＵＥ。
【請求項２７】
ＵＥ上で実行されると、前記ＵＥに請求項１から１２のいずれかに記載の方法を実行させるコンピュータ可読コードを含むコンピュータプログラム（７０１）。
【請求項２８】
コンピュータ可読媒体（７０３）と請求項２７に記載のコンピュータプログラム（７０１）とを備えるコンピュータプログラム製品（７０２）であって、前記コンピュータプログラムは前記コンピュータ可読媒体に格納される、コンピュータプログラム製品。
【発明の詳細な説明】
【技術分野】
【０００１】
本開示は、デバイス対デバイス（Ｄ２Ｄ）および／またはＶ２Ｘ通信のためのリソースのプールの設計に関し、より詳細には、Ｄ２Ｄおよび／またはＶ２Ｘ送信を可能にするために無線アクセスノードの無線リソースを用いるための、ユーザ装置および方法に関する。
【背景技術】
【０００２】
３ＧＰＰロングタームエヴォリューション（ＬＴＥ）は、第３世代パートナーシッププロジェクト（３ＧＰＰ）内で開発された第４世代移動通信技術の規格であり、ユニバーサル移動体通信システム（ＵＭＴＳ）規格を改善して、より高いデータレート、効率の向上、およびコストの削減といった改善されたサービスに関して、将来の要件に対処する。
【０００３】
進化型ユニバーサル地上無線アクセスネットワーク（Ｅ−ＵＴＲＡＮ）は、ＬＴＥシステムの無線アクセスネットワークである。Ｅ−ＵＴＲＡＮにおいて、ユーザ装置（ＵＥ）は、ＬＴＥにおいて進化型ノードＢ（ｅＮｏｄｅＢ）と一般に呼ばれる無線基地局（ＲＢＳ）に無線で接続される。ＲＢＳは、無線信号をＵＥに送信し、ＵＥによって送信された信号を受信することができる無線ネットワークノードの一般用語である。ＬＴＥでは、ｅＮｏｄｅＢはセルにおける無線リソースを管理し、コアネットワーク（ＣＮ）、ならびにＸ２インターフェースを介して隣接するｅＮｏｄｅＢに直接接続されている。
【０００４】
リリース１２の間、ＬＴＥ規格は、商用および公衆の両方のアプリケーションを対象としたデバイス対デバイス（Ｄ２Ｄ）（「サイドリンク」として特定される）機能のサポートで拡張された。リリース１２ ＬＴＥによって可能にされるいくつかのアプリケーションは、デバイスディスカバリ（発見）であり、ここでデバイスは、デバイスおよびアプリケーション識別情報を搬送するディスカバリメッセージをブロードキャストおよび検出することによって、別のデバイスおよび関連アプリケーションの近接性をセンシング（感知）することができる。他のアプリケーションは、デバイス間で直接終端された物理チャネルに基づく直接通信からなる。
【０００５】
Ｄ２Ｄ通信は、車両間の直接通信、歩行者運搬デバイス、およびインフラストラクチャ搭載デバイスの任意の組み合わせを含む、車両対Ｘ（Ｖ２Ｘ）通信をサポートするように拡張することができる。Ｖ２ｘ通信は利用可能なネットワーク（ＮＷ）インフラストラクチャを活用できる。ただし、利用可能なネットワークインフラストラクチャが不足している場合は、少なくとも基本的なＶ２ｘ接続が可能である。ＬＴＥベースのＶ２ｘインターフェースを提供することは、ＬＴＥ規模の経済性のために経済的に有利であり得、それは、専用のＶ２ｘ技術を使用した場合と比較して、ＮＷインフラストラクチャとの通信（車両対インフラストラクチャ（Ｖ２Ｉ））、（車両対歩行者（Ｖ２Ｐ））、および（車両対車両（Ｖ２Ｖ））通信のより緊密な統合化を可能にし得る。サイドリンクという用語は、３ＧＰＰ仕様において、ＵＥ間で直接、すなわち、ｅＮｏｄｅＢ（ｅノードＢ）を通過せずにメッセージを送信することを指すために使用される。サイドリンクは、Ｄ２Ｄ通信、Ｖ２ｘおよびｘ２Ｖ通信、ＰｒｏＳｅ（近接サービス）等を実現するために使用される。ＬＴＥでは、サイドリンク通信はＰＣ５インターフェースを介して行われ、セルラ通信（すなわちアップリンクおよびダウンリンク）はＵｕインターフェースを介して行われる。メッセージはＵＥ間で直接交換されるが、通信はｅＮｏｄｅＢによって制御されてもされなくてもよい。例えば、ｅＮｏｄｅＢは、サイドリンク通信のために時間−周波数リソースのプールを設定してもよく、またはそれは特定の時間−周波数リソースでサイドリンク通信をスケジュールしてもよい。図１は、ＬＴＥベースの無線アクセスネットワーク（ＮＷ）に対するＶ２Ｘシナリオを示す概略図である。図１に示すように、Ｖ２Ｉ（車両対インフラストラクチャ）通信は、車両と無線アクセスネットワーク（ＲＡＮ）との間で提供され、Ｖ２Ｖ（車両対車両）通信は、（無線アクセスネットワークを通じて通信することなく）異なる車両間で直接提供され、Ｖ２Ｐ（車両対歩行者）通信は、車両と人または歩行者によって保持されるデバイス（例えば、スマートフォン、タブレットコンピュータなど）との間で直接提供されてもよい。Ｖ２Ｘ通信は、Ｖ２Ｉ、Ｖ２Ｐ、およびＶ２Ｖ通信のいずれかまたはすべてを含むことを意味する。
【０００６】
Ｖ２ｘ通信は、例えばレイテンシ（待ち時間）、信頼性、容量などに関して、アプリケーションおよびサービスのそれぞれが特定の要件セットに関連付けられ得る、非安全および安全情報の両方を搬送し得る。
【０００７】
欧州電気通信標準化機構（ＥＴＳＩ）は、交通安全のために2種類のメッセージを定義した。すなわち、協調認識メッセージ（ＣＡＭ（Co-operative Awareness Message））および分散型環境通報メッセージ（ＤＥＮＭ（Decentralized Environmental Notification Message））である。
【０００８】
ＣＡＭメッセージは、緊急車両を含む車両が、その存在および他の関連パラメータをブロードキャスト方式で通知することを可能にすることを目的としている。そのようなメッセージは、他の車両、歩行者、およびインフラストラクチャを対象とし、それらのアプリケーションによって処理される。ＣＡＭメッセージはまた、通常のトラフィックのための安全運転への積極的な支援として役立つ。デバイスは１００ｍｓ（ミリ秒）ごとにＣＡＭメッセージの可用性をチェックし、最大検出レイテンシ要件はほとんどのＣＡＭメッセージで１００ｍｓを超えないようにする。ただし、プリクラッシュセンシング警告に対するレイテンシ要件は５０ｍｓ以下である。
【０００９】
ＤＥＮＭメッセージはブレーキ等によってイベントトリガされ、ＤＥＮＭメッセージの可用性も１００ｍｓごとにチェックされ、最大レイテンシ要件は１００ｍｓ以下である。
【００１０】
ＣＡＭとＤＥＮＭメッセージのパッケージサイズは、１００バイトから８００バイト以上まで変化するが、典型的なサイズは、特定のＶ２Ｘユースケース、メッセージタイプ（例えば、ＤＥＮＭはＣＡＭより大きくてもよい）に依存して、また、パケットに含まれているセキュリティフォーマット（例：完全な証明書または証明書ダイジェスト）に依存して、およそ３００バイトである。メッセージは、近くにあるすべての車両によって検出されるはずである。
【００１１】
自動車技術者協会（ＳＡＥ）は、様々な定義されたメッセージサイズを有する専用短距離通信（ＤＳＲＣ）のための基本安全メッセージ（ＢＳＭ）を定義した。メッセージの重要性および緊急性に基づいて、ＢＳＭは更に異なる優先度に分類される。ＤＳＲＣは、特に自動車用に設計された単方向または双方向の短距離から中距離の無線通信チャネル、および対応するプロトコルと規格のセットである。
【００１２】
［無線リソースの予約］
Ｖ２Ｘ通信において、２つの主要な種類のトラフィックが区別される。すなわち、再発性（recurrent）トラフィックとイベントトリガートラフィックである。再発性トラフィックの場合、送信されたパケットは規則的に到着する（例えば、それらは厳密に周期的であるかまたは平均周期性からいくらかの偏差を有することがある）。再発性トラフィックのＶ２ｘ送信をスケジュールするための１つの効率的な方法は、無線リソース予約（booking）を使用することである。リソース予約を使用したリソース割り当てでは、ＵＥは次のパケットを送信するために（全ての再送を含む）、事前に無線リソースを予約できる。予約の最小期間は、通常、２つの連続するパケット間の最小時間（例えば、最小メッセージ周期）であるとみなされる。同様に、予約の最大期間は通常、２つの連続したパケット間の最大時間（例えば、最大メッセージ周期）であるとみなされる。例えば、Ｖ２Ｘでは、２つの連続したＣＡＭメッセージの生成間の時間間隔は、（輻輳制御がない場合）１００ｍｓ（ミリ秒）より小さくなくてもよく、そして１ｓ（秒）を超えてはならない。したがって、現在３ＧＰＰで検討されているように、１００ｍｓ、２００ｍｓ、…、または１ｓの予約を許可するのが妥当である。通常、ＵＥは予約情報を他のＵＥにシグナリングする。これにより、受信側ＵＥは、受信した予約メッセージを読み取ることによって無線リソースの将来の利用を予測し、同じリソースを使用しないようにその現在の送信をスケジュールすることができる。そのようにするために、ＵＥは、予約メッセージを収集するために（再）選択トリガに先行するある期間にわたってチャネルをセンシングする必要がある。更に、以前に予約されたリソースを解放する予約解除（unbooking）メッセージを送信することも可能であり得る。
【発明の概要】
【００１３】
［ＬＴＥとＶ２Ｘにおける周期性］
ＬＴＥ送信はフレームに編成され、更にサブフレームに分割される。各フレームは１０個のサブフレームを含み、周期的に繰り返されるシステムフレーム番号（ＳＦＮ）により識別される。周期は１０２４フレーム、または同等の１０２４０サブフレームまたはミリ秒である。ＳＦＮは、異なるノードが異なるサブフレームを区別することを可能にする。このようにして、それらは１つまたは他の種類の送信（例えば、同期信号、制御情報など）をいつ期待するかを知る。一般に、ＬＴＥノードには、ＳＦＮ期間を超えてフレームを区別する方法を有さない。したがって、ミリ秒単位で測定すると、ＬＴＥにおける周期性は１０２４０を分割する必要がある。例えば、２５６サブフレーム毎に来るように特定の種類の信号を定義することができる。これは、ＳＦＮ期間において、信号が４０回繰り返されることを意味する。その代わりに、それらが２５５サブフレーム毎に来るように定義された場合、２５５は１０２４０を分割しないので、ＳＦＮ期間にわたって周期性を維持することは不可能であろう。
【００１４】
ＬＴＥ  Ｖ２Ｘ、スケジューリングは１００ｍｓの周期で編成されるであろう。その理由は、１００ｍｓが上位レイヤでの２つのＶ２Ｘパケットの生成間の最小間隔であるためである。例えば、ＵＥは、１００ｍｓの倍数に関して送信のためのリソースを予約することができる（例えば、ＵＥは、１００ｍｓまたは２００ｍｓで送信のためのリソースを予約することができる）。リソース割り当てプロトコル全体は、ＵＥがそれらの送信をスケジューリングし、それらのリソースを予約することに依存している。これに加えて、ＬＴＥ  Ｖ２Ｘはまた、周期的な同期信号の送信を必要とするであろう。
【００１５】
明らかに、１００は１０２４０を分割しない。これは、１００ｍｓの周期性に基づく設計を（１０２４０ｍｓの周期性に基づく）ＬＴＥに組み込む方法を定義する必要があることを意味する。
【００１６】
［既存の解決策の問題］
３ＧＰＰは過去において１０２４０を分割しない周期性をＬＴＥに適合させるという問題に直面した。リリース１２におけるサイドリンクの標準化中に、２００ｍｓの期間が定義された。それらをＬＴＥ構造に適合させるために、次の切り捨て方法が採用された。すなわち、より短い（切り捨てられた）最後のものを除いて、全てのＤ２Ｄ期間は２００ｍｓからなる。Ｄ２ＤパケットはＤ２Ｄ期間内にスケジュールされ送信されたので、これは問題を提示しなかった。ＵＥは、送信をスケジューリングするときに、最後のＤ２Ｄ期間がより短いことを単に考慮に入れなければならなかった。
【００１７】
この解決策は、性能を大幅に低下させずにＬＴＥ−Ｖ２Ｘに適用することはできない。前述したように、ＬＴＥ  Ｖ２Ｘで使用されるリソース割り当てプロトコルは、予約に依存している。しかしながら、切り捨てが適用されると、予約の連鎖は途切れることになり得る。いくつかのシナリオでは、これは、分散リソース割り当てアルゴリズムがそのような不連続の後に収束するための時間を必要とすることを考えると、送信が実際に中断されることを意味し得る。ＬＴＥにおけるＤ２Ｄに対する１００サブフレーム周期性に関連付けられたこの不連続性が、図２に示される。最後の期間では、それを完了するために６０個のサブフレームが欠けているので、この期間は４０個のサブフレームしか含まない。したがって、欠けている６０個のサブフレームへの予約は不可能であり、それらの不足している６０個のサブフレームから予約を開始することも不可能である。後者の状況が図２に示されており、サブフレーム９９は、サブフレーム９９の期間の前の期間に１００個のサブフレームを必要とするので、１００ｍｓ前に予約できないことが示されている。
【００１８】
更に、将来的には、固定オフセットを用いたリソース予約（例えば、正確に１００ｍｓまたは２００ｍｓ以内の予約）が不可能になる可能性がある。その理由は、一般にＬＴＥネットワークにおいて、そして特にＬＴＥ Ｖ２Ｘ通信において、いくつかのサブフレームは他の目的（例えば、同期信号の送信）のために使用されるので、Ｖ２Ｘ送信に利用できないことである。関連した問題を図３に示し、ここでは、非Ｖ２Ｘサブフレームの存在、すなわち特別な目的のために使用され、したがってＶ２Ｘ通信には利用できないサブフレームの存在の例が示される。サブフレーム２５５はサイドリンク同期信号（ＳＬＳＳ）のために使用されるので、サブフレーム１５５から先への１００ｍｓの予約は不可能である。同様に、サブフレーム４５１はアップリンク送信に使用され、したがってＶ２Ｘ通信には利用できない。
【００１９】
実施形態の目的は、上述の問題のうちの１つ以上を軽減または少なくとも軽減することである。この目的および他の目的は、独立請求項に従う方法および無線デバイスによって、そして従属請求項に従う実施形態によって達成される。
【００２０】
第１の態様によれば、目的は、Ｄ２Ｄ通信のために無線アクセスネットワークのサブフレームを使用するために、ＵＥによって実行される方法によって達成される。方法は、無線アクセスネットワークのサブフレームの中からＤ２Ｄ通信に利用可能なサブフレームを決定することを含む。Ｄ２Ｄ通信に利用可能なサブフレームは、無線アクセスネットワークのいくつかのサブフレームを除外するので、サブフレームの数におけるＤ２Ｄ通信の周期性は、Ｄ２Ｄ通信に利用可能なサブフレームの数を分割する。方法はまた、Ｄ２Ｄ通信を可能にするために、決定されたサブフレームを使用することを含む。
【００２１】
第２の態様によれば、目的は、Ｄ２Ｄ通信を可能にするために無線アクセスネットワークのサブフレームを使用するように構成されたＵＥによって達成される。ＵＥは、無線アクセスネットワークのサブフレームの中からＤ２Ｄ通信に利用可能なサブフレームを決定するように更に構成される。Ｄ２Ｄ通信に利用可能なサブフレームは、無線アクセスネットワークのいくつかのサブフレームを除外するので、サブフレームの数におけるＤ２Ｄ通信の周期性は、Ｄ２Ｄ通信に利用可能なサブフレームの数を分割する。ＵＥはまた、Ｄ２Ｄ通信を可能にするために、決定されたサブフレームを使用するように構成される。
【００２２】
更なる態様によれば、目的は、ＵＥ上で実行されたときにＵＥに上記の第１の態様による方法を実行させるコンピュータ可読コードを含むコンピュータプログラムによって、またはコンピュータプログラムを格納するコンピュータ可読媒体を含むコンピュータプログラム製品によって達成される。
【００２３】
実施形態の利点は、それらが、異なる周期性（例えば、パケットの周期性およびリソース構造の周期性）による不連続性を回避するようにＬＴＥサブフレームをインデックス付けすることを可能にすることである。したがって、Ｄ２Ｄ／Ｖ２Ｘサブフレームは、不連続性を回避するＬＴＥ周期的フレーム構造のサブフレーム上にマッピングされ得る。更に、実施形態は、利用可能なサブフレームが、各期間において異なる方法でＤ２Ｄに利用可能でないサブフレームとインターリーブされていても、異なる期間にわたってＤ２Ｄ利用可能なサブフレームの単純なインデックス付けを可能にする。
【図面の簡単な説明】
【００２４】
【図１】図１は、ＬＴＥベースの無線アクセスネットワークに対するＶ２Ｘシナリオを示す概略図である。
【図２】図２は、切り捨てが適用されたときの予約の連鎖における不連続性の概略図である。
【図３】図３は、非Ｖ２Ｘサブフレームの存在を示す例示的なフレーム構造の概略図である。
【図４】図４は、例１の概略図、およびＶ２ＸサブフレームがＬＴＥ ＳＦＮフレーム構造にどのようにマッピングされるかを示す図である。
【図５】図５は、Ｄ２Ｄ通信に利用可能なサブフレームの更なる細分割の概略図である。
【図６ａ】図６ａは、実施形態に従うＵＥにおける方法を示すフローチャートである。
【図６ｂ】図６ｂは、実施形態に従うＵＥにおける方法を示すフローチャートである。
【図７】図７は、実施形態に従うＵＥを概略的に示すブロック図である。
【発明を実施するための形態】
【００２５】
発明の概念の実施形態の例が示されている添付の図面を参照して、本発明の概念を以下により完全に説明する。しかしながら、本発明の概念は多くの異なる形態で具体化されてもよく、本明細書に記載の実施形態に限定されると解釈されるべきではない。むしろ、これらの実施形態は、この開示が徹底的かつ完全であり、そして本発明の概念の範囲を当業者に十分に伝えるように提供される。これらの実施形態は相互に排他的ではないことにも留意されたい。一実施形態からの構成要素は、他の実施形態に存在する／使用されると暗黙的に想定され得る。以下に記載される任意の２つ以上の実施形態は、互いに任意の方法で組み合わされ得る。
【００２６】
本開示の実施形態は、図１のブロック図に示されるように、ＬＴＥベースの無線アクセスネットワークのためのＶ２Ｘシナリオの文脈において制限なく説明される。図示された通信システムは、本開示の様々な実施形態に従って無線リソース割り当てを使用してパケットのＶ２ｘ通信に対して構成されたＵＥを含む。通信システムは、無線ネットワークノード（例えば、ＬＴＥ ｅＮｏｄｅＢ）と複数のＵＥとを含む。ＵＥは、車両対インフラストラクチャ（Ｖ２Ｉ）通信、車両対歩行者（Ｖ２Ｐ）通信、および車両対車両（Ｖ２Ｖ）通信のうちの任意の１つ以上といった、Ｄ２Ｄおよび／またはＶ２ｘ通信に対して構成された任意の種類の電子デバイスとすることができる。本明細書で使用されるとき、Ｄ２Ｄはより広い意味で任意のタイプのＵＥ間の通信を含むように言及され、そして車両と任意の他のタイプのＵＥ間のＶ２ｘ通信を含む。ＵＥの種類の例には、無線デバイス、パーソナルデータアシスタント（ＰＤＡ）、タブレットコンピュータ（例えば、ｉＰＡＤ）、携帯端末、スマートフォン、スマートウォッチ、ラップトップ内蔵機器（ＬＥＥ）、ラップトップ搭載機器（ＬＭＥ）、車載通信デバイス、インフラストラクチャ搭載通信デバイス等が含まれるが、これらに限定されない。
【００２７】
実施形態は、Ｖ２ＸおよびＬＴＥシステムに関して非限定的な一般的文脈で説明される。しかしながら、記載された実施形態は、Ｄ２Ｄ（サイドリンクとしても知られる）およびＮＲ（Ｎｅｗ  Ｒａｄｉｏ）等のＬＴＥ以外の他のＲＡＴにも適用することができる。実施形態は、２つの周期性または周期（ＬＴＥの周期性または周期として１０２４０ｍｓ、およびＶ２Ｘの周期性または周期として１００ｍｓ）に関して説明されているが、その原理は、より一般的には第１の周期Ａおよび第２の周期Ｂと呼ばれる他の周期性または周期値に適用することができる。したがって、実施形態は、ある周期性を有する、または第２の周期Ｂより大きい、第１の周期Ａを有する無線リソースが第２のセットの無線リソースに適用され、第１の周期Ａが第２の周期Ｂの整数倍ではない、あらゆる場合に適用される。
【００２８】
実施形態では、Ｖ２Ｘリソースは１００ｍｓのグループにあってもよいが、ＵＥは最小２００ｍｓ、すなわち周期１００ｍｓの倍数で動作してもよい。歩行者にとっては、１０００ｍｓ毎の送信が可能であり得るが、その周期は依然として１００ｍｓであり得る。
【００２９】
本明細書における例示的なシナリオは、ＬＴＥシステムについて説明され、Ｄ２Ｄ通信を可能にするためにセンシングされ、予約され、そして割り当てられる無線リソースは、サブフレームに対応する。以下では、無線リソースおよびサブフレームという用語は互換的に使用される。別の無線アクセスネットワークでは、サブフレーム以外の他の無線リソースが使用され得る。
【００３０】
ＬＴＥでは、１０２４０ｍｓ（すなわち１０２４０サブフレーム）がＳＦＮ期間に対応し、１００ｍｓはＶ２Ｖプールのプール期間（ｐｏｏｌＰｅｒｉｏｄ）であり得る。Ｖ２ＶプールまたはＤ２Ｄプールは、１種類のＶ２Ｘ／Ｄ２Ｄ通信サービスまたはトラフィック、あるいは１種類のユーザ装置等に使用される、無線リソースのプールを指す。したがって、ｐｏｏｌＰｅｒｉｏｄは、そのような無線リソースプールの周期性を定義する。ＬＴＥネットワークにおけるデバイスは、各ＳＦＮ期間内でのみサブフレーム番号を追跡することが期待されているが、ＳＦＮ期間を超えて追跡することは期待されていない。
【００３１】
実施形態は、１０２４０ｍｓの周期性（第１の周期Ａ）を有するシステムにおいて１００ｍｓの周期性（第２の周期Ｂ）に基づくスケジューリングを使用することができるように、ＬＴＥ Ｖ２Ｘ送信に使用されるサブフレームにインデックス付けする方法を含む。このために、いくつかのサブフレームがどのＶ２Ｘ期間にも属さないように、１００ｍｓ期間が定義される。どの期間にも属さないこれらのサブフレームは、Ｖ２Ｘパケット以外の他の種類の信号、例えば、同期信号、および／または共存シーケンスを送信するために使用されてもよい。あるいは他の用途のために予約されてもよい。
【００３２】
簡単にするために、以下では、周期性またはいわゆる第２の周期Ｂが１００ｍｓである場合を参照するが、本発明は、ＳＦＮ期間またはいわゆる第１の周期ＡがｐｏｏｌＰｅｒｉｏｄまたは第２の周期Ｂの整数倍ではない任意の周期性または周期またはｐｏｏｌＰｅｒｉｏｄに当業者に容易に一般化することができる。第２の周期Ｂの整数倍である第１の周期Ａは、第１の周期Ａを余りなく分割する第２の周期Ｂ、または単に第１の周期Ａを分割する第２の周期Ｂと同じものである。
【００３３】
［Ｖ２Ｖに対するプールの設計：プールの構造とサブフレームのインデックス付け］
ＵＥがサブフレームを参照する共通の方法を有することは基本的なことである。そうでなければ、センシング、リソース割り当て、予約などの動作が不明確になる。上述したように、ＬＴＥ送信はフレームに編成され、更にサブフレームに分割される。各フレームは、周期的に繰り返される番号により識別される。周期は１０２４フレーム、あるいは１０２４０サブフレームまたはミリ秒（上記の第１の周期Ａとして定義される）である。対照的に、Ｖ２Ｘの設計は、１００ｍｓ（およびその倍数）を最小のメッセージ周期性（上記の第２の周期Ｂとして定義される）に対応するため、基本周期性と見なす。１０２４０は１００で割り切れないので、１００ｍｓの設計をＬＴＥの（サブ）フレーム構造に組み込む方法を定義する必要がある。加えて、ＳＬＳＳの１つのように他の周期性も考慮に入れる必要がある。
【００３４】
Ｖ２Ｘに対するサブフレームの論理的なインデックス付けを定義することを提案する。このインデックス付けは、ＳＦＮ／Ｄ２Ｄフレーム番号（ＤＦＮ）期間と互換性がなければならず、またスケジューリングおよび予約プロトコルによって使用される基本（すなわち１００ｍｓ）の周期性を反映しなければならない。ＳＦＮ／ＤＦＮ期間中の１０２４０個のサブフレームを考慮すると、論理的なインデックス付けは以下の方法で得ることができる。
ａ）ＳＬＳＳの送信に対しては、ＮＳＬＳＳ個のサブフレームがＴＳＬＳＳｍｓごとに使用される。送信器の設計を簡単化するために、ＴＳＬＳＳは１０２４０を分割すべきである。
ｂ）ＳＬＳＳサブフレームを取り除いた後、１０２４０−１０２４０＊ＮＳＬＳＳ／ＴＳＬＳＳ個のサブフレームが残る。一般的に、１００はこの数を分割しない。Ｖ２Ｘ送信に対しては、Ｎ＝１００＊ｆｌｏｏｒ（（１０２４０−１０２４０＊ＮＳＬＳＳ／ＴＳＬＳＳ）／１００）個のサブフレームを使用することが提案される。残りのＮｒｅｓｅｒｖｅｄ個のサブフレームは、予約され、Ｖ２Ｘ送信のためには（すなわち、Ｖ２Ｘデータパケットまたは関連する制御信号のためには）使用することができない。したがって、Ｎｒｅｓｅｒｖｅｄ＝１０２４０−１００＊ｆｌｏｏｒ（（１０２４０−１０２４０＊ＮＳＬＳＳ／ＴＳＬＳＳ）／１００）である。予約されたサブフレームのインデックスは、予め設定されることができる、または、ネットワークにより設定されることができる。
ｃ）Ｎ個のサブフレームは、（ｅＮｏｄｅＢまたは他のノードによってさらに制限が課されることがあるが）原則として、Ｖ２Ｘ送信に利用可能であり、それぞれ１００サブフレームのＮＶ２Ｘ−ｐｅｒｉｏｄ期間に分割される。各期間は、おそらくＳＬＳＳおよび／または予約されたサブフレームとインターリーブされた１００個の連続した利用可能なサブフレームからなる。その結果、サブフレームは、ｉ番目のＶ２Ｘ期間のｊ番目のサブフレームと呼ばれる（ここで、ｊ ＝ ｛０，…，９９｝およびｉ ＝ ｛０，…，ＮＶ２Ｘ−ｐｅｒｉｏｄ−１｝）。
【００３５】
図４は、ＳＬＳＳがＴＳＬＳＳ ＝ ２５６およびＮＳＬＳＳ ＝ ３によって定義される、ＳＦＮ／ＤＦＮ期間における１０２４０個のサブフレームのサブセットの一例を示す。１０２４０サブフレームの期間にわたって、ＳＬＳＳは４０回送信される（１回目はサブフレーム２５５、２５６、および２５７で、２回目はサブフレーム５１２、５１３、および５１４など）。ＳＬＳＳサブフレームは、図４では黒である。したがって、ＳＬＳＳサブフレームを除外した後に１０１２０個のサブフレームが残っているので、ステップｂ）の上記手順に従って、１０１００個のサブフレームがＶ２Ｘ送信に利用可能になる。残りのＮ ｒｅｓｅｒｖｅｄ＝２０サブフレームは、１００で割り切れるＶ２Ｘ通信に利用可能ないくつかのサブフレームを達成するために、他の使用のために予約される。図４に示す例の場合、予約済み（Ｒｅｓｅｒｖｅｄ）サブフレームは拡散され、Ｖ２Ｘ送信のための５００サブフレームごとに１つの予約済みサブフレームを有する、すなわちＳＬＳＳサブフレームを除外する。つまり、サブフレーム５０３、１００７などが予約される。残りのサブフレームは、ＮＶ２Ｘ−ｐｅｒｉｏｄｓ＝ １０１Ｖ２Ｘ期間に分割され、各サブフレームは１００個のサブフレームからなる。１番目の期間はサブフレーム［０，９９］からなり、２番目の期間はサブフレーム［１００，１９９］からなり、３番目の期間はサブフレーム［２００，２５４］と［２５８，３０２］（ＳＬＳＳでインターリーブされる）からなる。
【００３６】
この論理的なインデックス付けにより、スケジューリングと予約の仕様が簡単になる。例えば、ｉ番目のＶ２Ｘ期間のｊ番目のサブフレームで送信するＵＥは、（ｉ＋１）番目のＶ２Ｘ期間のｊ番目のサブフレームでの送信のために同じ周波数リソースを予約することができる。これは１００ｍｓでの予約にほぼ相当する。
【００３７】
これは、Ｖ２Ｘ送信に利用可能なリソースにインデックスを付ける１つの方法に過ぎない。ＵＥがそれらの送信をスケジュールすることができる方法に追加の制限を加えることを意図するものではない。
【００３８】
以下のようなさまざまな目的のために、１００ビットパターンを更にＶ２Ｘ期間に適用することができる。
・パターンは、特定のＶ２Ｘプールを定義するために使用されてもよい（例えば、Ｖ２Ｐ、モード１送信、モード２送信などのために）。
・Ｖ２Ｘと他のサービスとの間で運ばれ共有される場合、パターンは、Ｖ２Ｘ送信に利用可能であるＶ２Ｘ期間内のサブフレームを識別するために使用され得る。このパターンはネットワークによりシグナリングされ得る。
【００３９】
所与の目的のために、論理的インデックス付けの利点が維持されるように、同じパターンを全てのＶ２Ｘ期間に適用され得る（すなわち、それを繰り返す）。１００ビットパターンの適用例を図５に示す。当該図は、図４と同様の方法でサブフレームにインデックス付けし、また図４の例のように送信に対して予約されたサブフレームをマッピングする。Ｖ２Ｘ送信に利用可能なサブフレームは、それぞれが１００サブフレームを有するＶ２Ｘ期間に分割される。しかしながら、各Ｖ２Ｘ期間内で、白のサブフレーム（１番目のＶ２Ｘ期間のサブフレーム０、９９など）がＶ２Ｐに対して使用され、点線のサブフレーム（１番目のＶ２Ｘ期間のサブフレーム１〜９８など）がＶ２Ｖに対して使用される。
【００４０】
以下は、上記で提案された実施形態のいくつかを要約する。Ｖ２Ｘは、次のように定義されたＶ２Ｘ期間に基づいて、以下の論理的インデックス付けを使用する。
○以下を除外する連続したサブフレームからなるＶ２Ｘ期間の倍数
・ＳＬＳＳの送信に対して使用されるサブフレーム（ＴＳＬＳＳｍｓごとのＮＳＬＳＳ個のサブフレーム）。
・Ｎｒｅｓｅｒｖｅｄ個のサブフレーム。ここで、Ｎｒｅｓｅｒｖｅｄ＝１０２４０−１００＊ｆｌｏｏｒ（（１０２４０−１０２４０＊ＮＳＬＳＳ／ＴＳＬＳＳ）／１００）である。予約されたサブフレームのインデックスは、予め設定することができる、または、ネットワークにより設定することができる。
・各Ｖ２Ｘ期間は、倍数の期間内の１００個の連続したサブフレームからなる。
【００４１】
更に、リソースのプールを定義するために１００ビットパターンが全てのＶ２Ｘ期間にさらに適用され得る（たとえば、Ｖ２Ｐ、モード１、モード２などについて）。共有キャリアでは、ネットワークシグナリングを使用して、Ｖ２Ｘ送信に利用可能なサブフレームを識別する１００ビットパターンを送信する。
【００４２】
［更なる実施形態］
前述の例に関連する実施形態は、ＬＴＥサブフレームをインデックス付けするための以下の方法を含む。
１．図４および図５を参照して上述した例のようにＳＬＳＳに対するような、特別な目的のためのサブフレームが定義される。Ｎａ≦１０２４０をそのような特別な目的のサブフレームの数とする。これらのサブフレームは、１０２４０ｍｓの周期性、または、２５６ｍｓの周期性といった１０２４０を分割する任意の周期性を有し得る。このステップは１０２４０−Ｎａサブフレームを残す。
２．一般に、１００は１０２４０−Ｎａも分割しない。１０２４０−Ｎａ個のサブフレームを２つのグループに分ける。Ｎｂ＝１００＊ｆｌｏｏｒ（（１０２４０−Ｎａ）／１００）個のサブフレームを有する第１のグループ、これはＤ２ＤまたはＶ２Ｘ通信に利用可能なサブフレームに対応し、残りのＮｃサブフレームを有する第２のグループ、これは予約済みサブフレームに対応する。関数ｆｌｏｏｒ（．）は、引数を０に丸め、Ｎａ＋Ｎｂ＋Ｎｃ＝１０２４０になる。このように、Ｎｂ（Ｄ２ＤまたはＶ２Ｘに利用可能なサブフレームの数）は、１００で割り切れる。
３．ステップ２における第１のグループ内のＮｂ個のサブフレームは次に、それぞれ１００ｍｓのＮｐ＝ｆｌｏｏｒ（（１０２４０−Ｎａ）／１００）の期間に分割される。
【００４３】
Ｎｂ個のサブフレームのグループ内のサブフレームは、Ｎａ個またはＮｃ個のサブフレームを有するグループのいずれにも属することができない。
【００４４】
以下では、実施形態およびそれらの利点を更に説明するために、いくつかの可能な例示的実施形態を説明する。
【００４５】
［例示的な実施形態］
いくつかの実施形態では、上記のステップ１からの、特別な目的に対するサブフレーム（Ｎａ）は、以下のうちの１つ以上を含む。
・Ｐが１０２４０を分割するように、周期性Ｐ＜１０２４０で、周期的信号の送信に使用されるサブフレーム。例えば、同期信号または周期的システム制御情報送信。
・他の種類のトラフィックの送信に使用されるサブフレーム。例えば、特定の種類のＵＥ（例えば、歩行者）による送信のための特別なプールを定義することができる。
・ＲＦパラメータを再調整するとき（例えば、キャリア（搬送波）を切り替えるとき）動作を中断する  とき等、デバイスの能力における制限により使用できない可能性があるサブフレーム。
【００４６】
いくつかの実施形態では、上記のステップ２において第２のグループに属するサブフレーム（Ｎｃ）は、以下の目的のうちの１つ以上を有する。
・それらは特別のシーケンス（例えば、異なる技術間の共存を可能にするシーケンス）の送信のために使用される。
・それらは将来の使用のために予約されている。
【００４７】
いくつかの実施形態では、ステップ２において第１のグループにおけるサブフレーム（すなわち、Ｖ２Ｘ通信に利用可能なサブフレーム、Ｎｂ）は、更にサブグループに分割され、前述のように異なるリソースのプールを形成する。いくつかの更なる実施形態では、この更なる分割は、ステップ２においてサブフレームの第１のグループにビットマップを適用することによって行われる（この目的のために１００ビットパターンが使用される上記の例も参照）。いくつかの更なる実施形態では、このビットマップは標準仕様で定義されてもよく、事前設定されてもよく、またはネットワークノードによって設定されてもよい。サブグループへの分割は以下の目的の１つ以上を有し得る。
・異なるタイプのサービス（例えば、Ｖ２Ｘ、Ｄ２Ｄ、セルラなど）のための互いに素なリソースを有するプール（すなわち直交プール）を定義すること。
・異なるタイプのトラフィック（たとえば、緊急、ベストエフォートなど）または異なる特性を持つタイプのトラフィック（ＵＥによってスケジュールされ、ネットワークによってスケジュールされるなど）に対して、互いに素なリソースを有するプール（すなわち直交プール）を定義すること。
【００４８】
［Ａ  例１］
２５６ｍｓ毎にＳＬＳＳを送信するために３つのサブフレームが使用される（２５６は１０２４０を分割する（割り切れる））ＬＴＥ Ｖ２Ｘシステムが考慮される。これは、ＴＳＬＳＳ＝２５６およびＮＳＬＳＳ＝３を使用して前述した例に対応する。ＳＬＳＳは、Ｎａ個のサブフレームを使用して送信される（３＊４０＝１２０）。したがって、Ｎａ＝１２０、Ｎｂ＝１０１００、Ｎｃ＝２０、Ｎｐ＝１０１である。上記のステップ２の第２のグループにおけるＮｃ個のサブフレームは、将来の使用のために予約されたサブフレームであり、それらは第１のグループにおけるサブフレームの間で拡散され、それはＶ２Ｘ通信に利用可能なサブフレームとインターリーブされる。すなわち、第１のグループからの５００個のサブフレーム毎に第２のグループからの１個のサブフレームがある。これは図４に示される。上記のステップ１で定義された特別な目的のサブフレームは、名前に（ＳＬＳＳ）とマークされている。ステップ２の２番目のグループのサブフレームは、名前に（ｒｅｓｅｒｖｅｄ）とマークされている。上記のステップ３で定義された期間は、ここでは「Ｖ２Ｘ期間」と表示されている。したがって、例えば図４に示すように、Ｖ２Ｘ期間は、ＬＴＥフレーム構造にマッピングされた合計１００ｍｓの期間である。
【００４９】
インデックス付けは、ＵＥが曖昧さなしにリソースを予約することを可能にする。例えば、第１のＶ２Ｘ期間（サブフレーム９９）の最後のサブフレームで送信しているＵＥは、第２および第３のＶ２Ｘ期間に同じリソースを予約し得る。前者の場合、これはサブフレーム１９９に対応し、後者の場合、これは他の目的のために使用されるＳＬＳＳサブフレームの存在のためにサブフレーム３０２に対応することに留意されたい。これは、サブフレームへの適切なマッピングが定義されていない限り、予約を直接的な方法で行うことができないことを示している。
【００５０】
加えて、全ての期間が１００個のサブフレームからなるので、インデックス付けは１０１番目のＶ２Ｘ期間から１番目または２番目のＶ２Ｘ期間までの予約を可能にする。対照的に、背景技術の項で前述した切り捨ての解決策では、最後の期間は１００未満のサブフレームを含み、予約手続きにおける不連続性はそのような解決策で生じるであろう。
【００５１】
［Ｂ．例２］
例１のシステムは、別の例示的実施形態では、第１のグループにおけるサブフレーム、すなわちＶ２Ｘ通信に利用可能なサブフレームの更なる細分割を適用し得る。この場合、各期間の最初と最後のサブフレームは１つの細区分に属し、残りのサブフレームは第２の細区分に属する。第１の細区分のサブフレームは歩行者による伝送に使用され、第２の細区分のサブフレームは車両による伝送に使用され得る。この例は図５に示される。１番目の細区分におけるサブフレームは、パターンなしの白である。２番目の細区分におけるサブフレームは、点線のパターンでマークされている。
【００５２】
［図６ａ〜図６ｂを参照して説明した方法の実施形態］
本開示の様々な実施形態は、Ｖ２Ｖ通信といったＤ２Ｄ通信（Ｄ２Ｄ送信またはＤ２Ｄ受信またはＤ２Ｄ送信と受信の両方）を可能にするために無線アクセスネットワークの無線リソース（ＬＴＥアクセスネットワークのサブフレーム等）を使用するためのＵＥの方法および動作に関する。
【００５３】
図６ａは、Ｄ２Ｄ通信のために無線アクセスネットワークのサブフレームを使用するために、ＵＥによって実行される方法の一実施形態を示すフローチャートである。無線アクセスネットワークのサブフレームは、周期Ａを有する周期的構造に編成されてもよい。前述のように、無線アクセスネットワークはＬＴＥネットワークでもよく、周期Ａは１０２４０ｍｓでもよく、一方、Ｄ２Ｄ通信の期間（周期）は１００ｍｓでもよい。実施形態では、Ｄ２Ｄ通信の周期性のサブフレーム数は、周期Ａのサブフレーム数を分割しない。上述のように、１００は余りなく１０２４０を分割しない。方法は、以下のことを含む。
【００５４】
‐６５０：無線アクセスネットワークのサブフレームの中からＤ２Ｄ通信に利用可能なサブフレームを決定すること。Ｄ２Ｄ通信に利用可能なサブフレーム（前の実施形態のＮｂを参照）は、無線アクセスネットワークのいくつかのサブフレームを除外し（前の実施形態のＮａおよびＮｃを参照）、その結果、サブフレームの数におけるＤ２Ｄ通信の周期性は、Ｄ２Ｄ通信に利用可能なサブフレームの数を分割する。無線アクセスネットワークの除外された数のサブフレーム（サブフレームの数）は、予約されたいくつかのサブフレーム（Ｎｃ）（予約されたサブフレームの数）、および／または特別な目的のために使用されるいくつかのサブフレーム（Ｎａ）（特別な目的のために使用されるサブフレームの数）を含み得る。特別な目的のために使用されるサブフレームのうちの少なくとも１つは、同期信号の送信、またはＤ２Ｄ通信パケット以外の送信のために使用され得る。予約されたサブフレームのうちの少なくとも１つは、キャリア上でのＤ２Ｄ通信の使用をアドバタイズする検出シーケンスを送信するために使用され得る。２つの連続する予約されたサブフレーム間のＤ２Ｄ通信に利用可能なサブフレームの数はｘであり得る。これは図５に示され、ここでｘ＝５００である。
【００５５】
‐６６０：Ｄ２Ｄ通信を可能にするために、決定されたサブフレームを使用すること。決定されたサブフレームを使用することは、Ｄ２Ｄ通信を可能にするために、決定されたサブフレームをセンシングすること、割り当てること、および予約することのうちの少なくとも１つを含み得る。
【００５６】
Ｄ２Ｄ通信に利用可能なサブフレームを決定するステップ６５０は、実施形態において、ｙ＊ｆｌｏｏｒ（（ｚ−Ｎａ）／ｙ）に等しくなるようにＤ２Ｄ通信に利用可能なサブフレームの数Ｎｂを決定することを含み得る。ここで、ｙは、サブフレーム数でのＤ２Ｄ通信の周期性であり、ｚは、無線アクセスネットワークの周期的構造の周期Ａにおけるサブフレームの数であり、Ｎａは、特別な目的のために使用されるサブフレームの数であり、ｆｌｏｏｒ（）は、入力として実数を取り、出力として実数以下の最大の整数を与える関数である。
【００５７】
方法の更なる実施形態では、Ｄ２Ｄ通信に利用可能なサブフレームは、Ｄ２Ｄ通信に利用可能なサブフレームにビットマップを適用することによってサブグループに分割されてもよい。これは、図５を参照して前述され、ここで、Ｄ２Ｄ通信に利用可能なＮｂ個のサブフレームを２つの異なるサブフレームプールに分割するために１００ビットパターンが適用された。
【００５８】
図６ｂに示される方法の他の実施形態では、無線アクセスネットワークの無線リソースは、第１の周期Ａ（１０２４０ｍｓまたはサブフレームのＳＦＮ期間など）を有する周期的構造に編成され、Ｄ２Ｄ通信サービスは、第２の周期Ｂ（例えば、１００ｍｓまたはサブフレーム期間を有するＶ２ＶプールのｐｏｏｌＰｅｒｉｏｄなど）またはＤ２Ｄ送信および／または受信に対する第２の周期Ｂの倍数（例えば、２×１００ｍｓ＝２００ｍｓまたはサブフレーム）で無線リソースのセットを割り当てる。第１の周期Ａの無線リソースの数は、第２の周期Ｂの無線リソースの数より多く、第２の周期Ｂの無線リソースの数は、第１の周期Ａの無線リソースの数を分割しない。方法は以下のことを含む。
【００５９】
‐６１０：Ｄ２Ｄ送信および／または受信に利用可能な無線リソースの、第１の周期Ａを有する周期的構造内の無線リソースへのマッピングに基づいて、無線アクセスネットワークの無線リソースを識別すること。ここで、Ｄ２Ｄ送信および／または受信に利用可能な無線リソースは、第２の周期Ｂのリソースの数がＤ２Ｄ送信および／または受信に利用可能な無線リソース数を分割するように、周期的構造の無線リソース数を除外するように選択される。
【００６０】
‐６２０：Ｄ２Ｄ送信および／または受信を可能にするために、識別された無線リソースを使用すること。
【００６１】
［図７を参照して説明されるユーザ装置の実施形態］
図７は、実施形態によるＵＥ６００のブロック図である。ＵＥは、本明細書に開示されている１つまたは複数の実施形態に従って動作を実行するように構成され得る。
【００６２】
第１の実施形態によれば、ＵＥは、Ｄ２Ｄ通信を可能にするために無線アクセスネットワークのサブフレームを使用するために構成される。ＵＥは更に、無線アクセスネットワークのサブフレームの中からＤ２Ｄ通信に利用可能なサブフレームを決定するように構成される。ここで、Ｄ２Ｄ通信に利用可能なサブフレームは、無線アクセスネットワークのいくつかのサブフレームを除外することで、サブフレーム数におけるＤ２Ｄ通信の周期性は、Ｄ２Ｄ通信に利用可能なサブフレームの数を分割する。ＵＥはまた、Ｄ２Ｄ通信を可能にするために、決定されたサブフレームを使用するように構成される。
【００６３】
実施形態では、ＵＥは、Ｄ２Ｄ通信を可能にするために、決定されたサブフレームをセンシング、割り当て、および／または予約することによって、決定されたサブフレームを使用するように構成され得る。無線アクセスネットワークの除外された数のサブフレーム（除外されたサブフレームの数）は、予約されたいくつかのサブフレーム（予約されたサブフレームの数）、および／または特別な目的のために使用されるいくつかのサブフレーム（特別な目的のために使用されるサブフレームの数）を含み得る。特別な目的のために使用されるサブフレームのうちの少なくとも１つは、同期信号の送信、またはＤ２Ｄ通信パケット以外の送信のために使用され得る。
【００６４】
実施形態において、ＵＥは、Ｄ２Ｄ通信に利用可能なサブフレームの数Ｎｂをｙ ＊ ｆｌｏｏｒ（（ｚ−Ｎａ）／ ｙ）に等しくなるように決定することによって、Ｄ２Ｄ通信に利用可能なサブフレームを決定するように構成され得る。ｙは、サブフレームの数でのＤ２Ｄ通信の周期性であり、ｚは、無線アクセスネットワークの周期的構造の周期Ａにおけるサブフレームの数であり、Ｎａは、特別な目的のために使用されるサブフレーム数であり、そしてｆｌｏｏｒ（）は入力として実数を取り、出力として実数以下の最大の整数を与える関数である。
【００６５】
ＵＥは、キャリア上でのＤ２Ｄ通信の使用をアドバタイズする検出シーケンスを送信するために、予約されたサブフレームのうちの少なくとも１つを使用するように更に構成され得る。２つの連続する予約されたサブフレーム間のＤ２Ｄ通信に利用可能なサブフレームの数はｘであり得る。
【００６６】
ＵＥは、Ｄ２Ｄ通信に利用可能なサブフレームにビットマップを適用することによって、Ｄ２Ｄ通信に利用可能なサブフレームをサブグループに分割するように更に構成され得る。
【００６７】
実施形態において、無線アクセスネットワークのサブフレームは、周期Ａを有する周期的構造に編成されてもよい。実施形態において、Ｄ２Ｄ通信の周期性のサブフレームの数は、周期Ａのサブフレームの数を分割しない。
【００６８】
図７に示されるように、ＵＥ６００は、少なくとも１つの処理回路６０３、およびオプション的にメモリ６０１も含み得る。処理回路６０３は、汎用および／または特殊用途のプロセッサ、たとえばマイクロプロセッサおよび／またはデジタル信号プロセッサなどの１つまたは複数のデータ処理回路を含み得る。実施形態では、メモリ６０１は、他の何らかのノードまたはユニット内に、あるいは少なくともＵＥとは別に配置することができる。ＵＥ６００は、サイドリンクを介してまたはネットワークノードと他のＵＥと通信するように構成された送受信器回路６０２などの１つ以上の入出力（Ｉ／Ｏ）ユニットも備えることができる。ＵＥ６００は、アンテナポートおよびアンテナ、ディスプレイ、ユーザ入力インターフェース、およびスピーカを更に有し得る。ＵＥは、Ｄ２Ｄ通信を可能にするために無線アクセスネットワークのサブフレームを使用するように構成され得る。ＵＥは、他のＵＥと無線で通信するように構成された無線送受信器回路６０２、送受信器回路と動作可能に関連付けられる処理回路６０３、および処理回路と動作可能に関連付けられるメモリ６０１を有し得る。メモリは処理回路によって実行可能な命令を含むことができ、それによって当該ＵＥは無線アクセスネットワークのサブフレームの中からＤ２Ｄ通信に利用可能なサブフレームを決定するように動作可能である。Ｄ２Ｄ通信に利用可能なサブフレームは、無線アクセスネットワークのいくつかのサブフレームを除外するので、サブフレーム数におけるＤ２Ｄ通信の周期性は、Ｄ２Ｄ通信に利用可能なサブフレームの数を分割する。ＵＥは、Ｄ２Ｄ通信を可能にするために、決定されたサブフレームを使用するように更に動作可能であり得る。
【００６９】
実施形態では、ＵＥは更に、本明細書で前述した方法または動作のうちのいずれかを実行するように動作可能であり得る。
【００７０】
図７にも示す別の実施形態では、ＵＥ６００は、前述のように無線アクセスネットワークのサブフレームの中からＤ２Ｄ通信に利用可能なサブフレームを決定するように構成された決定モジュール７１１と、Ｄ２Ｄ通信を可能にするために、決定されたサブフレームを使用するように構成された使用モジュール７１２とを有し得る。実施形態では、ＵＥは本明細書で前述した方法または動作のうちのいずれかを実行するように適合された更なるモジュールを有し得る。上記のモジュールは、ハードウェア、ソフトウェア、ファームウェア、またはそれらの任意の組み合わせで実装され得る機能単位である。一実施形態では、モジュールは少なくとも１つの処理回路６０３上で動作するコンピュータプログラムとして実施される。
【００７１】
図７の実施形態を説明するための更に別の代替方法では、ＵＥ６００は単一のユニットまたは複数のユニットとすることができる中央処理ユニット（ＣＰＵ）を有し得る。更に、ＵＥは、ＥＥＰＲＯＭ（電気的消去可能プログラマブル読み出し専用メモリ）、フラッシュメモリ、またはディスクドライブ等の、不揮発性メモリの形態のコンピュータ可読媒体７０３を有する少なくとも１つのコンピュータプログラム製品（ＣＰＰ）７０２を含むことができる。ＣＰＰは、コンピュータ可読媒体７０３に格納されたコンピュータプログラム７０１を含むことができ、これは、ＵＥ６００のＣＰＵ上で実行されると、ＵＥに図６ａ〜図６ｂに関連して前述した方法を実行させるコード手段を含む。すなわち、当該コード手段がＣＰＵ上で実行されるとき、それらは図７のＵＥ６００の少なくとも１つの処理回路６０３に対応する。
【００７２】
図７におけるＵＥ６００は、別の例示的実施形態では識別モジュールと使用モジュールとを有し得る。識別モジュールは、Ｄ２Ｄ送信に利用可能な無線リソースの第１の周期Ａを有する周期的構造内の無線リソースへのマッピングに基づいて、無線アクセスネットワークの無線リソースを識別するように適合され得る。ここで、第２の周期Ｂのリソースの数がＤ２Ｄ送信に利用可能な無線リソースの数を分割するように、Ｄ２Ｄ送信に利用可能な無線リソースは周期的構造のいくつかの無線リソースを除外するように選択される。 また、使用モジュールは、Ｄ２Ｄ送信を可能にするために、識別された無線リソースを使用するように適合され得る。上記のモジュールは、ハードウェア、ソフトウェア、ファームウェア、またはそれらの任意の組み合わせで実装され得る機能単位である。一実施形態では、モジュールは少なくとも１つの処理回路６０３上で動作するコンピュータプログラムとして実施される。
【００７３】
［更なる定義および実施形態］
本開示の様々な実施形態の上記説明において、本明細書で使用される用語は特定の実施形態を説明することのみを目的としており、本発明を限定することを意図していないことを理解されたい。他に定義されない限り、本明細書で使用される全ての用語（技術的および科学的用語を含む）は、本開示が属する技術分野の当業者によって一般に理解されるのと同じ意味を有する。一般的に使用される辞書で定義されているような用語は、本明細書および関連技術の文脈におけるそれらの意味と一致する意味を有すると解釈されるべきであり、本明細書で明確にそのように定義されていない限り、理想的な意味または過度に形式的な意味で解釈されることはない。
【００７４】
ある要素が他の要素に「接続」、「結合」、「応答」、またはそれらの変形をしていると言われるとき、他の要素に直接接続、結合、または応答することができ、または介在要素が存在し得る。ある要素が他の要素に「接続」、「結合」、「応答」、またはそれらの変形をしていると言われるとき、他の要素に直接接続、結合、または応答することができ、または介在要素が存在し得る。全体を通して、同じ番号は同じ要素を指す。更に、本明細書で使用される「結合」、「接続」、「応答」、またはそれらの変形は、無線で結合、接続、または応答することを含み得る。本明細書で使用されるとき、単数形「ａ」、「ａｎ」および「ｔｈｅ」は、文脈が明らかにそうでないことを示さない限り、複数形も含むことを意図している。簡潔さおよび／または明確さのために、よく知られている機能または構成は詳細に説明されないことがある。用語「および／または」は、関連する列挙された項目のうちの１つ以上のあらゆる組み合わせを含む。
【００７５】
本明細書で使用されるとき、用語「含む」、「有する」、またはそれらの変形は無制限である。そして、１つ以上の述べられた特徴、整数、要素、ステップ、構成要素または機能を含むが、それらの１つ以上の他の特徴、整数、要素、ステップ、構成要素、機能またはグループの存在または追加を排除しない。更に、本明細書で使用されるとき、ラテン語句「例示」から派生する共通の略語「例えば（e.g.）」は、前述の項目の一般的な例または複数の例を紹介または特定するために使用され得、そのようなアイテムを限定することを意図しない。ラテン語句「id est」から派生する一般的な略語「すなわち（i.e.）」は、より一般的な朗読から特定の項目を特定するために使用され得る。
【００７６】
例示的実施形態は、コンピュータ実施方法、装置（システムおよび／またはデバイス）および／またはコンピュータプログラム製品のブロック図および／またはフローチャート図を参照して本明細書で説明される。ブロック図および／またはフローチャート図のブロック、ならびにブロック図および／またはフローチャート図内のブロックの組み合わせは、１つまたは複数のコンピュータ回路によって実行されるコンピュータプログラム命令によって実装できることを理解されたい。これらのコンピュータプログラム命令は、汎用コンピュータ回路、特殊用途コンピュータ回路、および／または他のプログラム可能なデータ処理回路のプロセッサ回路に提供されて、コンピュータおよび／または他のプログラム可能なデータ処理装置、変換および制御トランジスタ、メモリ位置に格納された値、ならびにブロック図および／またはフローチャートブロックで指定される機能／動作を実施するためのそのような回路内の他のハードウェアコンポーネントを介して実行される命令が実行され、それにより、ブロック図および／またはフローチャートブロックにおいて指定された機能／動作を実施するための手段（機能）および／または構造を作成するようにすることができる。
【００７７】
これらのコンピュータプログラム命令は、コンピュータまたは他のプログラム可能なデータ処理装置を特定の方法で機能させることができる有形のコンピュータ可読媒体に格納することもでき、その結果、コンピュータ可読媒体に格納された命令は、ブロック図および／またはフローチャートブロックまたは複数のブロックで指定された機能／動作を実施する命令を含む製品を製造する。
【００７８】
有形の非一時的コンピュータ可読媒体は、電子、磁気、光学、電磁気、または半導体のデータ記憶システム、装置、またはデバイスを含むことができる。コンピュータ可読媒体のより具体的な例には、以下が含まれる。すなわち、：ポータブルコンピュータディスケット、ランダムアクセスメモリ（ＲＡＭ）回路、読み取り専用メモリ（ＲＯＭ）回路、消去可能プログラマブル読み取り専用メモリ（ＥＰＲＯＭまたはフラッシュメモリ）。）回路、携帯用コンパクトディスク読み取り専用メモリ（ＣＤ−ＲＯＭ）、及び携帯用デジタルビデオディスク読み取り専用メモリ（ＤＶＤ／ＢｌｕｅＲａｙ）である。
【００７９】
また、いくつかの実施形態では、「無線ネットワークノード」または単に「ネットワーク（ＮＷ）ノード」などの一般的な用語が使用される。例えば、基地局、無線基地局、無線基地局、基地局制御装置、ネットワーク制御装置、発展型ノードＢ、ノードＢ、ＲＮＣ、中継ノード、測位ノード、Ｅ−ＳＭＬＣ、ロケーションサーバ、リピータ、アクセスポイント、無線アクセスポイント、リモートラジオユニット（ＲＲＵ）、リモートラジオヘッド（ＲＲＨ）、分散アンテナシステム（ＤＡＳ）のＭＳＲ  ＢＳノードなどのマルチスタンダードラジオ（ＭＳＲ）無線ノード、ＳＯＮノード、Ｏ＆Ｍ、ＯＳＳ、ＭＤＴノード、コアネットワークノード、ＭＭＥ、あるいは外部ノード（例えば、サードパーティノード、または現在のネットワークの外部のノード）さえも、任意の種類のネットワークノードとすることができる。
【００８０】
コンピュータまたは他のプログラム可能な装置上で実行することが、ブロック図および／またはフローチャートブロックまたは複数のブロックにおいて指定された機能／動作を実施するためのステップを提供するように、コンピュータプログラム命令はまた、コンピュータおよび／または他のプログラム可能なデータ処理装置にロードされて、コンピュータおよび／または他のプログラム可能な装置上で一連の動作ステップを実行させ、コンピュータ実行プロセスを生成させる。したがって、本開示の実施形態は、デジタル信号プロセッサなどのプロセッサ上で実行されるハードウェアおよび／またはソフトウェア（ファームウェア、常駐ソフトウェア、マイクロコードなどを含む）で具現化することができ、これらをまとめて「回路」、「モジュール」またはそれらの変形として参照することができる。
【００８１】
また、いくつかの代替の実施形態では、ブロックに示されている機能／動作は、フローチャートに示されている順序とは異なる順序で行われてもよいことに留意されたい。例えば、関連する機能／動作に応じて、連続して示されている２つのブロックが実際には実質的に同時に実行されてもよく、あるいはブロックが時には逆の順序で実行されてもよい。更に、フローチャートおよび／またはブロック図の所与のブロックの機能は複数のブロックに分離されてもよく、および／またはフローチャートおよび／またはブロック図の２つ以上のブロックの機能は少なくとも部分的に統合されてもよい。最後に、図示されているブロック間に他のブロックを追加／挿入することができる。更に、いくつかの図は、通信の主方向を示すために通信経路上に矢印を含むが、通信は、描かれた矢印と反対方向に起こり得ることを理解されたい。
【００８２】
上記の説明および図面に関連して、多くの異なる実施形態が本明細書に開示されている。これらの実施形態のあらゆる組み合わせおよび部分的組み合わせを文字通りに説明および例示することは、過度に繰り返しかつ難解になることが理解されよう。したがって、図面を含む本明細書は、実施形態の様々な例示的な組み合わせおよび部分的な組み合わせ、ならびにそれらを製造および使用する方法およびプロセスの完全な書面による説明を構成すると解釈され、任意のそのような組み合わせまたは部分的組み合わせに対する請求項をサポートする。
【００８３】
本発明の原理から実質的に逸脱することなく、実施形態に対して多くの変形および修正を加えることができる。そのような変形および修正はすべて、本発明の範囲内に含まれることが意図されている。
【００８４】
例示的な実施形態のリスト
１．デバイス対デバイス（Ｄ２Ｄ）送信および／または受信を可能にするために無線アクセスネットワークの無線リソースを用いるためにユーザ装置（ＵＥ）により実行される方法であって、前記無線アクセスネットワークの無線リソースは、第１の周期Ａを有する周期的構造において編成され、Ｄ２Ｄ通信サービスは、Ｄ２Ｄ送信および／または受信のために第２の周期Ｂまたは第２の周期Ｂの倍数を有する無線リソースのセットを割り当て、前記第１の周期Ａの無線リソースの数は前記第２の周期Ｂの無線リソースの数よりも多く、前記第２の周期Ｂの無線リソースの数は前記第１の周期Ａの無線リソースの数を分割せず、前記方法は、
Ｄ２Ｄ送信および／または受信に利用可能な無線リソースの、第１の周期Ａを有する周期的構造内の無線リソースへのマッピングに基づいて、無線アクセスネットワークの無線リソースを識別することであって、Ｄ２Ｄ送信および／または受信に利用可能な無線リソースは、第２の周期Ｂのリソースの数がＤ２Ｄ送信および／または受信に利用可能な無線リソースの数を分割するように、周期的構造の無線リソースの数を除外するように選択される、ことと、
Ｄ２Ｄ送信および／または受信を可能にするために、識別された無線リソースを使用すること、を含む。
【００８５】
２．実施形態１の方法であって、Ｄ２Ｄ送信および／または受信を可能にするために、前記識別された無線リソースを使用することは、Ｄ２Ｄ送信および／または受信を可能にするために、前記識別された無線リソースを、センシングすること、割り当てること、および、予約することの少なくとも１つを含む。
【００８６】
３．実施形態１〜２のいずれかの方法であって、前記除外された無線リソースは、前記第１の周期Ａを有する前記周期的構造上に規則的に分散された無線リソースにマッピングされる。
【００８７】
４．実施形態１〜３のいずれかの方法であって、前記除外された無線リソースの少なくともいくつかは、異なる技術間の共存を可能にするために、キャリア上でＤ２ＤまたはＶ２Ｖ通信の使用をアドバタイズするために使用される検出シーケンスを送信する目的で使用される。
【００８８】
５．実施形態１〜４のいずれかの方法であって、前記除外された無線リソースの少なくともいくつかは、特別な目的のために使用され、第１の周期Ａの周期性を分割する周期性を有する。
【００８９】
６．実施形態５の方法であって、前記特別な目的のために使用される前記無線リソースは、同期信号、周期的なシステム制御情報 他の種類のＵＥからのトラフィック、の少なくとも１つの送信のために使用される。
【００９０】
７．実施形態１〜６のいずれかの方法であって、Ｄ２Ｄ送信および／または受信に利用可能な前記無線リソースは、ビットマップを無線リソースに適用して互いに疎な無線リソースを形成することによってサブグループに分割される。
【００９１】
８．実施形態７の方法であって、前記ビットマップは、標準仕様で定義されているか、事前に設定されているか、またはネットワークノードにより設定される。
【００９２】
９．Ｄ２Ｄ送信および／または受信を可能にするために、無線アクセスネットワークの無線リソースのために構成されたユーザ装置（ＵＥ）であって、前記ＵＥは実施形態１〜８のいずれかに従った方法を実行するように更に構成される。
【００９３】
１０．実施形態９のＵＥであって、別の無線ネットワークノードまたはＵＥと無線で通信するように構成された無線送受信器回路、前記送受信器回路と動作可能に関連付けられた処理回路と、前記処理回路と動作可能に関連付けられたメモリとを有し、前記メモリは、前記処理回路によって実行可能な命令を含み、それにより前記ＵＥは実施形態１〜５のいずれかの方法を実行するように動作可能である。
【００９４】
１１．ＵＥ上で実行されると、前記ＵＥに実施形態１から８のいずれかに従う方法を実行させるコンピュータ可読コードを含むコンピュータプログラム。
【００９５】
１２．コンピュータ可読媒体と実施形態１１に記載のコンピュータプログラムとを備えるコンピュータプログラム製品であって、前記コンピュータプログラムは前記コンピュータ可読媒体に格納される。
【００９６】
［略語と説明］
３Ｇ  第３世代の移動体通信技術
ＢＳＭ  基本安全メッセージ
ＢＷ  帯域
ＣＡＭ  協調認識メッセージ
ＣＤＭＡ  符号分割多重アクセス
Ｄ２Ｄ  デバイス対デバイス通信
ＤＥＮＭ  分散型環境通報メッセージ
ＤＳＲＣ  専用短距離通信
ｅＮＢ  ｅノードＢ
ＥＴＳＩ  欧州電気通信標準化機構
ＦＤＭＡ  周波数分割多重アクセス
ＧＬＯＮＡＳＳ  全地球測位衛星システム
ＧＳＭ  移動体通信用グローバルシステム
ＧＰＳ  全地球測位システム
ＬＴＥ  ロングタームエヴォリューション
ＮＷ  ネットワーク
ＯＦＤＭ  直交周波数分割多重
ＰＢＣＨ  物理ブロードキャストチャネル
ＴＡ  タイミングアドバンス
ＦＤＭＡ  周波数分割多重アクセス
ＴＦ  トランスポートフォーマット
ＵＴＣ  協定世界時
ＳＡＥ  自動車技術者協会
ＵＥ  ユーザ装置
Ｖ２Ｉ  車両対インフラストラクチャ
Ｖ２Ｐ  車両対歩行者
Ｖ２Ｖ  車両対車両
Ｖ２ｘ  車両対想像できるもの全て
【図１】
2019527976.tif 000003
【図２】
2019527976.tif 000004
【図３】
2019527976.tif 000005
【図４】
2019527976.tif 000006
【図５】
2019527976.tif 000007
【図６ａ】
2019527976.tif 000008
【図６ｂ】
2019527976.tif 000009
【図７】
2019527976.tif 000010
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
デバイス対デバイス（Ｄ２Ｄ）通信のための無線アクセスネットワークのサブフレームを使用するためにユーザ装置（ＵＥ）（６００）により実行される方法であって、
前記無線アクセスネットワークのサブフレームの中からＤ２Ｄ通信に利用可能なサブフレームを決定すること（６５０）であって、前記Ｄ２Ｄ通信に利用可能なサブフレームは、無線アクセスネットワークのいくつかのサブフレームを除外し、それにより、サブフレームの数における前記Ｄ２Ｄ通信の周期性が、前記Ｄ２Ｄ通信に利用可能なサブフレームの数を分割する、ことと、
Ｄ２Ｄ通信を可能にするために、前記決定されたサブフレームを使用すること、を含む、方法。
【請求項２】
請求項１に記載の方法であって、前記決定されたサブフレームを使用することは、Ｄ２Ｄ通信を可能にするために、前記決定されたサブフレームをセンシングすること、割り当てること、および予約することのうちの少なくとも１つを含む、方法。
【請求項３】
請求項１または２に記載の方法であって、前記無線アクセスネットワークの除外された数のサブフレームは、特別な目的のいくつかのサブフレームを含み前記特別な目的のために使用されるサブフレームのうちの少なくとも１つは、同期信号の送信のため、またはＤ２Ｄ通信パケット以外の送信のために使用される、方法。
【請求項４】
請求項３に記載の方法であって、前記Ｄ２Ｄ通信に利用可能なサブフレームを決定することは、前記Ｄ２Ｄ通信に利用可能なサブフレームの数Ｎｂをｙ＊ｆｌｏｏｒ（（ｚ−Ｎａ）／ｙ）に等しくなるように決定することを含み、ｙは、サブフレームの数における前記Ｄ２Ｄ通信の周期性であり、ｚは、前記無線アクセスネットワークの周期的構造の周期Ａにおけるサブフレームの数であり、Ｎａは、前記特別な目的のために使用されるサブフレーム数であり、ｆｌｏｏｒ（）は入力として実数を取り、出力として実数以下の最大の整数を与える関数である、方法。
【請求項５】
請求項１から４のいずれか１項に記載の方法であって、前記Ｄ２Ｄ通信に利用可能なサブフレームは、前記Ｄ２Ｄ通信に利用可能なサブフレームにビットマップを適用することによってサブグループに分割される、方法。
【請求項６】
請求項１から５のいずれか１項に記載の方法であって、前記無線アクセスネットワークの前記サブフレームは、周期Ａを有する周期的構造に編成されている、方法。
【請求項７】
請求項６に記載の方法であって、前記Ｄ２Ｄ通信の前記周期性のサブフレーム数は、前記周期Ａのサブフレーム数を分割しない、方法。
【請求項８】
デバイス対デバイス（Ｄ２Ｄ）通信を可能にするための無線アクセスネットワークのサブフレームを使用するために構成されたユーザ装置（ＵＥ）（６００）であって、
前記無線アクセスネットワークのサブフレームの中からＤ２Ｄ通信に利用可能なサブフレームを決定し、ここで、前記Ｄ２Ｄ通信に利用可能なサブフレームは、無線アクセスネットワークのいくつかのサブフレームを除外し、それにより、サブフレーム数におけるＤ２Ｄ通信の周期性が、前記Ｄ２Ｄ通信に利用可能なサブフレームの数を分割し、
Ｄ２Ｄ通信を可能にするために、決定されたサブフレームを使用する、ように更に構成される、ＵＥ。
【請求項９】
請求項８に記載のＵＥであって、前記Ｄ２Ｄ通信を可能にするために決定されたサブフレームをセンシング、割り当て、および／または予約することによって、決定されたサブフレームを使用するように構成される、ＵＥ。
【請求項１０】
請求項８または９に記載のＵＥであって、前記無線アクセスネットワークの除外された数のサブフレームは、予約されたいくつかのサブフレームを含む、ＵＥ。
【請求項１１】
請求項８から１０のいずれか１項に記載のＵＥであって、前記無線アクセスネットワークの除外された数のサブフレームは、特別な目的のいくつかのサブフレームを含む、ＵＥ。
【請求項１２】
請求項１１に記載のＵＥであって、前記特別な目的のために使用されるサブフレームのうちの少なくとも１つは、同期信号の送信、またはＤ２Ｄ通信パケット以外の送信のために使用される、ＵＥ。
【請求項１３】
請求項１１または１２に記載のＵＥであって、前記Ｄ２Ｄ通信に利用可能なサブフレームを決定することは、前記Ｄ２Ｄ通信に利用可能なサブフレームの数Ｎｂをｙ＊ｆｌｏｏｒ（（ｚ−Ｎａ）／ｙ）に等しくなるように決定することを含み、ｙは、サブフレーム数での前記Ｄ２Ｄ通信の周期性であり、ｚは、前記無線アクセスネットワークの周期的構造の周期Ａにおけるサブフレーム数であり、Ｎａは、特別な目的のために使用されるサブフレーム数であり、ｆｌｏｏｒ（）は入力として実数を取り、出力として実数以下の最大の整数を与える関数である、ＵＥ。
【請求項１４】
請求項１３に記載のＵＥであって、キャリア上でのＤ２Ｄ通信の使用をアドバタイズする検出シーケンスを送信するために、予約されたサブフレームのうちの少なくとも１つを使用するように更に構成される、ＵＥ。
【請求項１５】
請求項１０または１４に記載のＵＥであって、２つの連続した予約されたサブフレーム間のＤ２Ｄ通信に利用可能なサブフレームの数はｘである、ＵＥ。
【請求項１６】
請求項８から１５のいずれか１項に記載のＵＥであって、Ｄ２Ｄ通信に利用可能なサブフレームにビットマップを適用することによって、前記Ｄ２Ｄ通信に利用可能なサブフレームをサブグループに分割するようにさらに構成される、ＵＥ。
【請求項１７】
請求項８から１６のいずれか１項に記載のＵＥであって、前記無線アクセスネットワークの前記サブフレームは、周期Ａを有する周期的構造に編成される、ＵＥ。
【請求項１８】
請求項１７に記載のＵＥであって、前記Ｄ２Ｄ通信の前記周期性のサブフレーム数は、前記周期Ａのサブフレーム数を分割しない、ＵＥ。
【請求項１９】
請求項８から１８のいずれか１項に記載のＵＥであって、サブフレームは無線リソースである、ＵＥ。
【請求項２０】
ＵＥ上で実行されると、前記ＵＥに請求項１から７のいずれかに記載の方法を実行させるコンピュータ可読コードを含むコンピュータプログラム（７０１）。
【請求項２１】
コンピュータ可読媒体（７０３）と請求項２０に記載のコンピュータプログラム（７０１）とを備えるコンピュータプログラム製品（７０２）であって、前記コンピュータプログラムは前記コンピュータ可読媒体に格納される、コンピュータプログラム製品。
【国際調査報告】
2019527976.tif 000011
2019527976.tif 000012